(57)【特許請求の範囲】
【請求項１】
１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
直流電源と、
前記直流電源の電源電圧を昇圧する昇圧回路と、
前記昇圧回路の昇圧された出力によって充電され、充電電荷を前記各発光ダイオードに給電するためのコンデンサと、
前記発光ダイオードに直列に介挿され、前記発光ダイオードに供給される電流を定電流制御するとともに、制御入力に応動して該定電流動作の作動／不作動が制御される定電流回路と、
前記直流電源のプラス側と前記コンデンサの充電端子ではない側の端子との間をオン／オフする第１のトランジスタと、前記直流電源のマイナス側と前記コンデンサの充電端子ではない側の端子との間をオン／オフする第２のトランジスタとからなる直列接続手段と、
シャッタの開動作以前に、前記第１のトランジスタをオフ、前記第２のトランジスタをオンとして前記昇圧回路により前記コンデンサを充電させ、且つシャッタの開動作時には、前記コンデンサへの充電を停止させるとともに、前記第１のトランジスタをオン、前記第２のトランジスタをオフとして前記直流電源の電圧に前記コンデンサの蓄積電圧を加算した電圧を発生させ、前記定電流回路によりこの加算した電圧で各発光ダイオードを発光させる制御手段とを具備することを特徴とする撮影用照明装置。
【請求項２】
前記第１のトランジスタはｐｎｐトランジスタであり、前記第２のトランジスタはｎｐｎトランジスタであることを特徴とする請求項１に記載の撮影用照明装置。
【請求項３】
前記定電流回路は、電流を定電流制御するとともに、制御入力に応動して定電流動作の作動／不作動が制御される定電流制御部を備え、
前記各発光ダイオードにそれぞれ抵抗が直列に挿入されるとともに、前記抵抗は各発光ダイオードの順方向電圧の相違を吸収するように各々設定されて、前記各発光ダイオードと前記各抵抗からなる回路の一端が前記定電流回路に接続されて、前記定電流制御部より前記各発光ダイオードをまとめて駆動することを特徴とするに請求項１または請求項２に記載の撮影用照明装置。
【請求項４】
前記定電流回路は、前記各色の発光ダイオードにそれぞれ直列に介挿され、前記各発光ダイオードに供給される電流を定電流制御するとともに、制御入力に応動して該定電流動作の作動／不作動が制御される複数の定電流制御部を備え、
前記各発光ダイオードを各色毎に前記各定電流制御部により個別に定電流駆動することを特徴とする請求項１または請求項２に記載の撮影用照明装置。
【請求項５】
出力信号をディジタル−アナログ変換して出力するディジタル−アナログコンバータ出力ポートを備えた中央処理装置を具備し、且つ前記定電流回路の各定電流制御部を介して、前記各定電流制御部の電流値を前記中央処理部のディジタル−アナログコンバータ出力ポートの出力電圧によって設定するように構成したことを特徴とする請求項４に記載の撮影用照明装置。
【請求項６】
周囲温度を検出する温度検出手段をさらに具備し、前記中央処理装置は、前記温度検出手段の検出結果に応じて前記ディジタル−アナログコンバータ出力ポートの出力電圧を制御するようにしたことを特徴とする請求項５に記載の撮影用照明装置。
【発明の詳細な説明】
【０００１】
【発明の属する技術分野】
本発明は、在来の写真フィルムを用いるカメラ、ディジタルカメラ等と称される電子カメラ、およびビデオカメラ等による撮影に際し被写体に照明光を照射するための撮影用照明装置の改良に係り、特に、高感度フィルムを用いた撮影や電子カメラを用いた撮影に好適な撮影用照明装置に関する。
【０００２】
【従来の技術】
近年、写真フィルム、いわゆる銀塩フィルムの感度が向上し、ＩＳＯ感度８００〜１６００等の高感度フィルムが、一般消費者にも容易に入手し得るようになった。このため、銀塩フィルムを用いる在来のカメラ、いわゆる銀塩カメラ、によっても高感度フィルムによる高感度撮影が容易に行なえるようになった。さらにデジタルスチルカメラ等と称される電子カメラにおいてもＣＣＤ（電荷結合素子）撮像素子等のような撮像素子の感度が向上してきている。このため、被写体照明に従来の大光量ストロボやフラッドランプのような大光量がかならずしも必要でなくなってきた。
さらに、発光ダイオード（ＬＥＤ）の輝度の向上も目覚しく、しかも光の３原色である赤色、緑色および青色の各色の発光ダイオードが入手できるようになり、各種照明に利用されるようになってきた。
【０００３】
このような発光ダイオードを、カメラ撮影用の照明の光源として採用した従来の技術の一例が、特開平１１−１３３４９０号公報に示されている。
特開平１１−１３３４９０号公報に示された構成においては、電源として、公称１．５Ｖの乾電池を２本用いる時には、これらを直列に接続してなる電池電源から電力を供給して発光ダイオードを発光させる。また、１．５Ｖの電池を１本しか使用しない場合には昇圧回路を用いて発光ダイオードを発光させるようにしている。
【０００４】
【発明が解決しようとする課題】
しかしながら、特開平１１−１３３４９０号公報には、単に、電池電源を昇圧して発光ダイオードの駆動発光に利用することが示されているに過ぎず、発光ダイオードを定電流駆動して発光させる技術は何ら開示されていない。
また、従来、発光ダイオードディスプレイ（ＬＥＤディスプレイ）装置等のように連続的に発光ダイオードを発光させる装置においては、発光ダイオードを定電流で駆動して連続発光させる技術は多数存在していた。しかしながら、短時間の発光時には、発光ダイオードの定電流駆動はほとんど行なわれていなかった。上述したように、発光ダイオードの輝度が向上し、フィルムや撮像素子の感度が上がったとはいえ、写真等の撮影の照明用に発光ダイオードを用いるためには、まだ相当数の発光ダイオードを同時駆動する必要があり、発光ダイオードの点灯期間中は発光ダイオードの最大定格一杯の電流を流し続けて、発光ダイオードを効率よく発光させる必要がある。
【０００５】
しかしながら、電池電源等のように低い電圧の電源を利用可能とし且つ電源効率を向上させるために、昇圧回路等によってコンデンサに蓄えた電圧で発光ダイオードを発光させるようにすると、点灯直後は発光ダイオードに最大定格電流を流したとしても、コンデンサの放電による電圧降下に伴ってＬＥＤに流れる電流は漸次減少してしまう。このため、発光ダイオードの発光輝度も低下して充分な発光量が得られなくなる。これに対して、電圧降下を少なくするためにコンデンサの容量を増やすと、コンデンサが大きくなったり、発光終了後もコンデンサの電圧は高く保たれているため、発光に寄与しない無駄な電荷が多く残ったりして、スペース、コスト、およびエネルギのいずれについても多くの無駄が発生する。
また、シャッタ作動中は、シャッタ羽根の開閉を行うため、大電流を消費するアクチュエータに通電する必要があり、照明用発光ダイオードに流す電流はできるだけ少なくしたい。
【０００６】
本発明は、上述した事情に鑑みてなされたもので、発光ダイオードによる発光をカメラによる撮影の照明に使用するにあたり、電源を昇圧してコンデンサに蓄える電荷の使用効率を向上させるため、コンデンサの充電電荷による発光ダイオードの駆動電流を定電流制御して、コンデンサの電圧が低下しても、発光ダイオードの最大定格一杯の電流を点灯期間中流しつづけることを可能とし、且つアクチュエータに通電してシャッタが開いている間は、昇圧回路の作動を停止するようにして、シャッタ作動中は電源から直接照明用発光ダイオードに流す電流はできるだけ少なくして、電源の負荷を分散することを可能とする撮影用照明装置を提供することを目的としている。
本発明の第１の目的は、特に、作動電圧が低い定電流回路を用いて発光ダイオードを駆動するようにして、コンデンサの電圧が低下しても、発光ダイオードが点灯している間は常に最大定格電流で発光させ、コンデンサに蓄えた電荷の使用効率を向上させることを可能とし、且つシャッタ作動中は昇圧回路の動作を停止してコンデンサだけから照明用発光ダイオードに電流を供給するようにして、電源の負荷を分散し、直流電源の電圧変動を少なくすることを可能とする撮影用照明装置を提供することにある。
【０００７】
また、発光ダイオードを点灯するためには、最低でも発光ダイオードの順方向電圧以上の電圧が必要である。順方向電圧は青色、緑色、および白色発光ダイオードの場合、共に最大定格電流時に３．５Ｖ程度である。さらに定電流回路等の回路を併用する場合には、これらの回路が有効に作動するのに必要な電圧が加わるため、発光ダイオードの発光終了後、コンデンサには４Ｖ以上の電圧が残り、この電荷が無駄になってしまうことになる。
そこで、本発明の第２の目的は、特に、照明用発光ダイオードの点灯時は充電したコンデンサを電池等の直流電源に直列に接続し、電圧を上げて発光ダイオードに供給するようにして、コンデンサに残る電荷を減少させ、コンデンサに蓄えられる電荷の使用効率をさらに向上して、より小型で小容量のコンデンサを使用可能とする撮影用照明装置を提供することにある。
【０００８】
本発明の第３の目的は、特に、照明用発光ダイオードの順方向電圧が発光色により異なるので、発光ダイオードの各発光色毎に個別の定電流回路を設けて、コンデンサの利用効率を向上させた撮影用照明装置を提供することにある。
本発明の第４の目的は、特に、低電圧で作動する定電流回路を提供し、且つ中央処理装置のディジタル−アナログ（Ｄ／Ａ）コンバータ出力ポートを利用して定電流回路の簡素化を可能とする撮影用照明装置を提供することにある。
本発明の第５の目的は、特に、定電流回路を更に簡略化し得る撮影用照明装置を提供することにある。
【０００９】
【課題を解決するための手段】
請求項１に記載した本発明に係る撮影用照明装置は、上述した目的を達成するために、
１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
直流電源と、
前記直流電源の電源電圧を昇圧する昇圧回路と、
前記昇圧回路の昇圧された出力によって充電され、充電電荷を前記各発光ダイオードに給電するためのコンデンサと、
前記発光ダイオードに直列に介挿され、前記発光ダイオードに供給される電流を定電流制御するとともに、制御入力に応動して該定電流動作の作動／不作動が制御される定電流回路と、
前記直流電源のプラス側と前記コンデンサの充電端子ではない側の端子との間をオン／オフする第１のトランジスタと、前記直流電源のマイナス側と前記コンデンサの充電端子ではない側の端子との間をオン／オフする第２のトランジスタとからなる直列接続手段と、
シャッタの開動作以前に、前記第１のトランジスタをオフ、前記第２のトランジスタをオンとして前記昇圧回路により前記コンデンサを充電させ、且つシャッタの開動作時には、前記コンデンサへの充電を停止させるとともに、前記第１のトランジスタをオン、前記第２のトランジスタをオフとして前記直流電源の電圧に前記コンデンサの蓄積電圧を加算した電圧を発生させ、前記定電流回路によりこの加算した電圧で各発光ダイオードを発光させる制御手段とを具備することを特徴としている。
【００１０】
また、請求項２に記載した本発明に係る撮影用照明装置は、
前記第１のトランジスタが、ｐｎｐトランジスタであり、前記第２のトランジスタがｎｐｎトランジスタであることを特徴としている。
【００１１】
請求項３に記載した本発明に係る撮影用照明装置は、
前記定電流回路が、
前記定電流回路は、電流を定電流制御するとともに、制御入力に応動して定電流動作の作動／不作動が制御される定電流制御部を備え、
前記各発光ダイオードにそれぞれ抵抗が直列に挿入されるとともに、前記抵抗は各発光ダイオードの順方向電圧の相違を吸収するように各々設定されて、前記各発光ダイオードと前記各抵抗からなる回路の一端が前記定電流回路に接続されて、前記定電流制御部より前記各発光ダイオードをまとめて駆動することを特徴としている。
【００１２】
請求項４に記載した本発明に係る撮影用照明装置は、前記定電流回路が、前記各色の発光ダイオードにそれぞれ直列に介挿され、前記各発光ダイオードに供給される電流を定電流制御するとともに、制御入力に応動して該定電流動作の作動／不作動が制御される複数の定電流制御部を備え、前記各発光ダイオードを各色毎に前記各定電流制御部により個別に定電流駆動することを特徴としている。
請求項５に記載した本発明に係る撮影用照明装置は、出力信号をディジタル−アナログ変換して出力するディジタル−アナログコンバータ出力ポートを備えた中央処理装置を具備し、且つ前記定電流回路の各定電流制御部を介して、前記各定電流制御部の電流値を前記中央処理部のディジタル−アナログコンバータ出力ポートの出力電圧によって設定するように構成したことを特徴としている。
請求項６に記載した本発明に係る撮影用照明装置は、周囲温度を検出する温度検出手段をさらに具備し、前記中央処理装置が、前記温度検出手段の検出結果に応じて前記ディジタル−アナログコンバータ出力ポートの出力電圧を制御するようにしたことを特徴としている。
【００１３】
【作用】
すなわち、本発明の請求項１による撮影用照明装置は、１個以上の白色発光ダイオードと、各１個以上の赤色発光ダイオード、青色発光ダイオードおよび緑色発光ダイオードの三原色の発光ダイオードとのうちの少なくとも一方またはこれらを組合せて使用して撮影視野の照明を行なう撮影用照明装置において、直流電源の電源電圧を昇圧回路により昇圧し、該昇圧回路の出力によって充電電荷を前記各発光ダイオードに給電するためのコンデンサを充電し、前記発光ダイオードに直列に、制御入力に応動して作動／不作動が制御される定電流回路を介挿して、前記発光ダイオードに供給される電流を定電流制御し、
前記直流電源のプラス側と前記コンデンサの充電端子ではない側の端子との間をオン／オフする第１のトランジスタと、前記直流電源のマイナス側と前記コンデンサの充電端子ではない側の端子との間をオン／オフする第２のトランジスタとからなる直列接続手段を設け、
制御手段が、シャッタの開動作以前には、前記第１のトランジスタをオフ、前記第２のトランジスタをオンとして前記昇圧回路により前記コンデンサを充電させ、且つシャッタの開動作時には、前記コンデンサへの充電を停止させるとともに、前記第１のトランジスタをオン、前記第２のトランジスタをオフとして前記直流電源の電圧に前記コンデンサの蓄積電圧を加算した電圧を発生させ、前記定電流回路によりこの加算した電圧で各発光ダイオードを発光させることを特徴としている。
【００１４】
このような構成により、発光ダイオードによる発光をカメラによる撮影の照明に使用するにあたり、電源を昇圧してコンデンサに蓄える電荷の使用効率を向上させるため、コンデンサの充電電荷による発光ダイオードの駆動電流を定電流制御して、コンデンサの電圧が低下しても、発光ダイオードの最大定格一杯の電流を点灯期間中流しつづけることを可能とし、且つアクチュエータに通電してシャッタが開いている間は、昇圧回路の作動を停止するようにして、シャッタ作動中は電源から直接照明用発光ダイオードに流す電流はできるだけ少なくして、電源の負荷を分散することを可能とし、特に、作動電圧が低い定電流回路を用いて発光ダイオードを駆動するようにして、コンデンサの電圧が低下しても、発光ダイオードが点灯している間は常に最大定格電流で発光させ、コンデンサに蓄えた電荷の使用効率を向上させることを可能とし、且つシャッタ作動中は昇圧回路の動作を停止してコンデンサだけから照明用発光ダイオードに電流を供給するようにして、電源の負荷を分散し、直流電源の電圧変動を少なくすることが可能となる。
【００１５】
また、本発明の請求項２による撮影用照明装置は、前記第１のトランジスタはｐｎｐトランジスタであり、前記第２のトランジスタはｎｐｎトランジスタであることを特徴としている。
このような構成により、特に、上記請求項１に係る発明による効果を、簡素な構成で、達成している。
【００１６】
本発明の請求項３による撮影用照明装置は、前記定電流回路が、電流を定電流制御するとともに、制御入力に応動して該定電流動作の作動／不作動が制御される定電流制御部を備え、
前記各発光ダイオードにそれぞれ抵抗が直列に挿入されるとともに、前記抵抗は各発光ダイオードの順方向電圧の相違を吸収するように各々設定されて、前記各発光ダイオードと前記各抵抗からなる回路の一端が前記定電流回路に接続されて、前記定電流制御部より前記各発光ダイオードをまとめて駆動する。
このような構成により、各発光ダイオードを流れる電流値を、それぞれの抵抗の値で調整が可能となり、発光ダイオードの放電によりメインコンデンサの蓄積電荷の放電により、メインコンデンサの端子電圧は、徐々に低下するが、定電流流回路によって、各発光ダイオードに流れる電流は、最大定格近くの電流に維持される効果がある。
【００１７】
本発明の請求項４による撮影用照明装置は、前記定電流回路が、前記各色の発光ダイオードにそれぞれ直列に介挿され、前記各発光ダイオードに供給される電流を定電流制御するとともに、制御入力に応動して該定電流動作の作動／不作動が制御される複数の定電流制御部を備え、前記各発光ダイオードを各色毎に前記各定電流制御部により個別に定電流駆動する。
このような構成により、特に、照明用発光ダイオードの順方向電圧が発光色により異なるので、発光ダイオードの各発光色毎に個別の定電流回路を設けて、コンデンサの利用効率を向上させることができる。
本発明の請求項５による撮影用照明装置は、出力信号をディジタル−アナログ変換して出力するディジタル−アナログコンバータ出力ポートを備えた中央処理装置を具備し、且つ前記定電流回路の各定電流制御部を介して、前記各定電流制御部の電流値を前記中央処理部のディジタル−アナログコンバータ出力ポートの出力電圧によって設定するように構成している。
【００１８】
このような構成により、特に、低電圧で作動する定電流回路を提供し、且つ中央処理装置のディジタル−アナログ（Ｄ／Ａ）コンバータ出力ポートを利用して定電流回路を簡素化することが可能となる。
本発明の請求項６による撮影用照明装置は、周囲温度を検出する温度検出手段をさらに具備し、前記中央処理装置が、前記温度検出手段の検出結果に応じて前記ディジタル−アナログコンバータ出力ポートの出力電圧を制御する。
このような構成により、特に、定電流回路を更に正確に制御することができる。
【００１９】
【発明の実施の形態】
以下、本発明の実施の形態に基づき、図面を参照して本発明の撮影用照明装置を詳細に説明する。
図１は、本発明の第１の実施の形態に係る撮影用照明装置の概略構成を示しており、図２は、そのタイミングチャートを示している。図１に示す撮影用照明装置は、例えば在来の銀塩カメラに組み込まれているものとする。
図１に示す撮影用照明装置は、電池電源ＢＰ１、昇圧回路ＤＤ１、メインコンデンサＣ１１、中央処理装置（ＣＰＵ）ＣＰ１、第１段レリーズＲＬ１、第２段レリーズＲＬ２、発光ダイオード（ＬＥＤ）ＬＤ１および定電流回路ＣＣ１を具備している。
電池電源ＢＰ１は、直流電源であり、例えば、公称１．５Ｖの乾電池２個の直列接続、または公称３Ｖのリチウム電池１個等のように、電池を用いて公称３Ｖの電源電圧を得るように構成している。昇圧回路ＤＤ１は、この場合ＤＣ−ＤＣコンバータ（直流−直流コンバータ）として構成されている。昇圧回路ＤＤ１の電源入力端Ｖｉｎには、電源電池ＢＰ１のプラス側が接続されている。昇圧回路ＤＤ１の制御端ＣＥは、中央処理装置ＣＰ１の制御出力ポートＤＤＣに接続されている。
【００２０】
該昇圧回路ＤＤ１は、制御端ＣＥに接続されている中央処理装置ＣＰ１の制御出力ポートＤＤＣからの制御信号に応答し、該制御信号がオンとなると昇圧動作を行い、昇圧出力端Ｖｏｕｔから昇圧された電圧を出力する。中央処理装置ＣＰ１の制御出力ポートＤＤＣからの制御信号がオフとなると、該昇圧回路ＤＤ１は動作を停止して、昇圧出力端Ｖｏｕｔの出力を停止する。昇圧回路ＤＤ１の昇圧出力端Ｖｏｕｔには、メインコンデンサＣ１の一端が接続されている。メインコンデンサＣ１の他端は、電池電源ＢＰ１のマイナス側に接続されている。
また、メインコンデンサＣ１の前記一端、すなわち図示Ａ点には、写真撮影等の照明用として発光ダイオードＬＤ１のアノードが接続され、該発光ダイオードＬＤ１のカソードは、定電流回路ＣＣ１の端子ＬＤｉｎに接続されている。定電流回路ＣＣ１の端子Ｖｓｓは、電池電源ＢＰ１のマイナス側に接続されている。定電流回路ＣＣ１の制御端子ＣＮＴは、中央処理装置ＣＰ１の制御出力ポートＬＤＣに接続されている。該定電流回路ＣＣ１は、中央処理装置ＣＰ１の制御出力ポートＬＤＣから制御端子ＣＮＴに与えられる制御信号に応答してオン／オフ制御され、オン状態で、端子ＬＤｉｎ−Ｖｓｓ間を通過する電流を定電流制御し、オフ状態では、端子ＬＤｉｎ−Ｖｓｓ間の電流を遮断する。
【００２１】
中央処理装置ＣＰ１は、端子Ｖｄｄ、Ｖｓｓ、ＤＤＣ、ＬＤＣ、ＲＬ１およびＲＬ２を有している。端子Ｖｄｄは、電池電源ＢＰ１のプラス側に接続され、端子Ｖｓｓは、電池電源ＢＰ１のマイナス側に接続されて、電源の供給を受けている。端子ＤＤＣは、既に述べたように昇圧回路ＤＤ１の制御端ＣＥに昇圧回路ＤＤ１の動作を制御する制御信号を供給している。端子ＬＤＣは、既に述べたように定電流回路ＣＣ１の制御端子ＣＮＴに定電流回路ＣＣ１の動作を制御する制御信号を供給している。中央処理装置ＣＰ１の端子ＲＬ１は、第１段レリーズＲＬ１を介して電池電源ＢＰ１のマイナス側に接続され、端子ＲＬ２は、第２段レリーズＲＬ２を介して電池電源ＢＰ１のマイナス側に接続されている。第１段レリーズＲＬ１および第２段レリーズＲＬ２は、２段動作式のレリーズスイッチの各段のスイッチである。
【００２２】
次に、図２に示すタイミングチャートを参照して、図１に示した撮影用照明装置の動作を説明する。
レリーズスイッチの第１段目、すなわち第１段レリーズＲＬ１、がオンとなると中央処理装置ＣＰ１は、ＤＤＣ端子をオン、例えば“Ｌ”、にして昇圧回路ＤＤ１を作動状態とし、昇圧出力によるメインコンデンサＣ１への充電を開始させる。
レリーズスイッチの第２段目、第２段レリーズＲＬ２、がオンとなると昇圧回路ＤＤ１の作動が停止して、メインコンデンサＣ１への充電も停止する。この状態で、図示していないシャッタアクチュエータへの通電が行われシャッタが開く。
シャッタがほぼ開放になると、中央処理装置ＣＰ１は、端子ＬＤＣから端子ＣＮＴへの制御信号により定電流回路ＣＣ１を作動させ、照明用発光ダイオードＬＤ１に所定の定電流を流して、発光ダイオードＬＤ１を発光させる。
【００２３】
この発光に伴う放電により、メインコンデンサＣ１の端子電圧は、徐々に低下するが、定電流回路ＣＣ１によって発光ダイオードＬＤ１に流れる電流は最大定格近傍の電流値に維持される。
所定のシャッタ秒時が経過してシャッタアクチュエータの通電がオフとなり、シャッタが閉じ始めた頃、中央処理装置ＣＰ１は、定電流回路ＣＣ１を不作動として、発光ダイオードＬＤ１に流す電流を停止させ、発光ダイオードＬＤ１を消灯させる。
発光ダイオードの輝度が向上し、フィルムや撮像素子の感度が上がったとはいえ、照明用に発光ダイオードを用いる場合には、相当数の発光ダイオードが必要であり、発光ダイオード点灯期間中は発光ダイオードの最大定格に充分に近い電流を流し続け、発光ダイオードを効率よく発光させる必要がある。しかしながら、単に、コンデンサに蓄えた電圧で発光ダイオードを発光させるようにすると、点灯直後は発光ダイオードに最大定格電流を流していても、コンデンサの電圧降下に伴い発光ダイオードに流れる電流は漸次減少してしまい、発光輝度も低下して充分な発光量が得られなくなる。また、電圧降下を少なくするためにコンデンサの容量を増やすと、コンデンサが大きくなったり、発光終了後もコンデンサの電圧が高く保たれるため、発光に寄与しない無駄な電荷が多く残り、スペース、コストおよびエネルギの全てについて多くの無駄が発生する。
【００２４】
そのため、この第１の実施の形態においては、作動電圧がなるべく低い定電流回路を用いて発光ダイオードを駆動するようにし、コンデンサの電圧が低下しても、発光ダイオードが点灯している間は常に最大定格電流で発光させるようにしている。
一方、シャッタ作動中はシャッタ羽根の開閉を行うため、大電流を消費するアクチュエータに通電する必要があり、照明用発光ダイオードに流す電流はできるだけ少なくしたい。このため、この第１の実施の形態では、照明用発光ダイオードに流す電流は大容量のコンデンサに蓄え、アクチュエータに通電してシャッタが開いている間は、昇圧回路の作動を停止して、照明用発光ダイオードにはコンデンサだけから電流を供給するようにしている。
図１においては、メインコンデンサＣ１に接続される照明用発光ダイオードＬＤ１は１つだけ描かれているが、実際には、複数の発光ダイオードが直列または並列に接続されていてもよく、白色発光ダイオードまたは、赤色発光ダイオード、青色発光ダイオードおよび緑色発光ダイオードの三原色の発光ダイオードが適宜の数接続されていてもよい。
【００２５】
図３は、本発明の第２の実施の形態に係る撮影用照明装置の概略構成を示しており、図４は、そのタイミングチャートを示している。
図３に示す撮影用照明装置も、例えば在来の銀塩カメラに組み込まれているものとする。
図３に示す撮影用照明装置は、電池電源ＢＰ２、第１のトランジスタＱ１１、第２のトランジスタＱ１２、第３のトランジスタＱ１３、第４のトランジスタＱ１４、昇圧回路ＤＤ２、メインコンデンサＣ２、電源スイッチＰＳＷ２、中央処理装置ＣＰ２、第１段レリーズＲＬ１１、第２段レリーズＲＬ１２、白色発光ダイオード（白色ＬＥＤ）ＬＷ２、赤色発光ダイオード（赤色ＬＥＤ）ＬＲ２、青色発光ダイオード（青色ＬＥＤ）ＬＢ２、緑色発光ダイオード（緑色ＬＥＤ）ＬＧ２および抵抗Ｒ１１〜Ｒ２０を具備している。
電池電源ＢＰ２は、直流電源であり、例えば、公称１．５Ｖの乾電池２個の直列接続、または公称３Ｖのリチウム電池１個等のように、電池を用いて公称３Ｖの電源電圧を得るように構成している。
【００２６】
昇圧回路ＤＤ２は、例えばＤＣ−ＤＣコンバータ（直流−直流コンバータ）として構成されている。昇圧回路ＤＤ２の電源入力端Ｖｉｎには、電源スイッチＰＳＷ２を介して、電源電池ＢＰ２のプラス側が接続されている。昇圧回路ＤＤ２の制御端ＣＥは、中央処理装置ＣＰ２の制御出力ポートＤＤＣに接続されている。該昇圧回路ＤＤ２は、制御端ＣＥに接続されている中央処理装置ＣＰ２の制御出力ポートＤＤＣからの制御信号に応答し、該制御信号がオンとなると昇圧動作を行い、昇圧出力端Ｖｏｕｔから昇圧された電圧を出力する。中央処理装置ＣＰ２の制御出力ポートＤＤＣからの制御信号がオフとなると、該昇圧回路ＤＤ２は動作を停止して、昇圧出力端Ｖｏｕｔの出力を停止する。昇圧回路ＤＤ２の昇圧出力端Ｖｏｕｔには、メインコンデンサＣ２の一端が接続されている。
メインコンデンサＣ２の他端は、第１のトランジスタＱ１１のコレクタに接続されると同時に、第２のトランジスタＱ１２のコレクタにも接続されている。第１のトランジスタＱ１１は、この場合ｐｎｐトランジスタである。第１のトランジスタＱ１１は、ベースを制御端子とし、エミッタ−コレクタ間を被制御路としている。第２のトランジスタＱ１２は、この場合ｎｐｎトランジスタである。
【００２７】
第２のトランジスタＱ１２は、ベースを制御端子とし、コレクタ−エミッタ間を被制御路としている。これら第１のトランジスタＱ１１の被制御路であるエミッタ−コレクタ間と、第２のトランジスタＱ１２の被制御路であるコレクタ−エミッタ間とを互いに直列接続として、電池電源ＢＰ２のプラス側に接続された電源スイッチＰＳＷ２と電池電源ＢＰ２のマイナス側との間に接続している。すなわち、メインコンデンサＣ２の前記他端は、第１のトランジスタＱ１１がオンである場合には、電源スイッチＰＳＷ２を介して電源ＢＰ２のプラス側に、また、第２のトランジスタＱ１２がオンである場合には、電池電源ＢＰ２のマイナス側、つまりグラウンド電位（ＧＮＤ）に接続されるようになっている。
また、メインコンデンサＣ２の前記一端、すなわち図示Ａ点には、写真撮影等の照明用として１個以上の白色発光ダイオードＬＷ２、または赤色発光ダイオードＬＲ２、青色発光ダイオードＬＢ２および緑色発光ダイオードＬＧ２の三原色の発光ダイオードの各アノードがそれぞれ抵抗Ｒ１７、または抵抗Ｒ１８、Ｒ１９およびＲ２０を介して接続されている。発光ダイオードＬＷ２、ＬＲ２、ＬＢ２およびＬＧ２の各カソードは、第３のトランジスタＱ１３のコレクタに共通に接続されている。
【００２８】
第３のトランジスタＱ１３は、この場合ｎｐｎトランジスタである。第３のトランジスタＱ１３は、ベースを制御端子とし、コレクタ−エミッタを被制御路としている。第３のトランジスタＱ１３のエミッタには第４のトランジスタＱ１４のベースが接続されている。第４のトランジスタＱ１４も、この場合ｎｐｎトランジスタである。第４のトランジスタＱ１４のコレクタは、第３のトランジスタＱ１３のベースに接続されており、第４のトランジスタＱ１４のエミッタは電池電源のマイナス側に接続されている。第３のトランジスタＱ１３と第４のトランジスタＱ１４は、第３のトランジスタＱ１３のベースに与えられる制御信号に応答して、第３のトランジスタＱ１３のコレクタ−エミッタ間を流れる電流を定電流制御する。なお、第３のトランジスタＱ１３と第４のトランジスタＱ１４は、第３のトランジスタＱ１３のベースに与えられる制御信号によって、第３のトランジスタＱ１３をオフとし、コレクタ−エミッタ間を遮断することもできる。これら第３のトランジスタＱ１３と第４のトランジスタＱ１４は、シャッタが開いている間だけオンとなり、撮影照明用発光ダイオードにシャッタが開いている間だけ定電流で通電するようにしている。
【００２９】
第１のトランジスタＱ１１のベースは、抵抗Ｒ１１の一端に接続され、抵抗Ｒ１１の他端は、該第１のトランジスタＱ１１のエミッタに接続されている。また、前記抵抗Ｒ１１の他端は、電源スイッチＰＳＷ２を介して電池電源ＢＰ２のプラス側に接続されている。さらに、第１のトランジスタＱ１１のベースは、抵抗Ｒ１２の一端に接続され、該抵抗Ｒ１２の他端は、中央処理装置（ＣＰＵ）ＣＰ２の端子Ｑ１Ｂに接続されている。第２のトランジスタＱ１２のベースは、抵抗Ｒ１３の一端に接続され、該抵抗Ｒ１３の他端は、中央処理装置ＣＰ２の端子Ｑ２Ｂに接続されている。また、第２のトランジスタＱ１２のベースは、抵抗Ｒ１４の一端に接続され、該抵抗Ｒ１４の他端は、第２のトランジスタＱ１２のエミッタ、すなわち電池電源ＢＰ２のマイナス側、に接続されている。第３のトランジスタＱ１３のベースは、抵抗Ｒ１５の一端に接続され、該抵抗Ｒ１５の他端は、中央処理装置ＣＰ２の端子Ｑ３Ｂに接続されている。また、第３のトランジスタＱ１３のエミッタ、すなわち第４のトランジスタＱ１４のベース、は、抵抗Ｒ１６の一端に接続され、該抵抗Ｒ１６の他端は、第４のトランジスタＱ１４のエミッタ、すなわち電池電源ＢＰ２のマイナス側、に接続されている。
【００３０】
中央処理装置ＣＰ２は、端子Ｖｄｄ、Ｖｓｓ、ＤＤＣ、Ｑ１Ｂ、Ｑ２Ｂ、Ｑ３Ｂ、ＲＬ１およびＲＬ２を有している。端子Ｖｄｄは、電池電源ＢＰ２のプラス側に接続され、端子Ｖｓｓは、電池電源ＢＰ２のマイナス側に接続されて、電源の供給を受けている。端子ＤＤＣは、既に述べたように昇圧回路ＤＤ２の制御端ＣＥに昇圧回路ＤＤ２の動作を制御する制御信号を供給している。端子Ｑ１Ｂは、第１のトランジスタＱ１１のベースに、該第１のトランジスタＱ１１を制御駆動するための制御信号を供給している。端子Ｑ２Ｂは、第２のトランジスタＱ１２のベースに、該第２のトランジスタＱ１２を制御駆動するための制御信号を供給している。端子Ｑ３Ｂは、第３のトランジスタＱ１３のベースに、該第３のトランジスタＱ１３および第４のトランジスタＱ１４からなる定電流回路を制御駆動するための制御信号を供給している。中央処理装置ＣＰ２の端子ＲＬ１は、第１段レリーズＲＬ１１を介して電池電源ＢＰ２のマイナス側に接続され、端子ＲＬ２は、第２段レリーズＲＬ１２を介して電池電源ＢＰ２のマイナス側に接続されている。第１段レリーズＲＬ１１および第２段レリーズＲＬ１２は、２段動作式のレリーズスイッチの各段のスイッチである。
【００３１】
次に、図４に示すタイミングチャートを参照して、図３に示した撮影用照明装置の動作を説明する。
電源スイッチＰＳＷ２がオンとなるか、またはレリーズスイッチの第１段目がオンとなると、中央処理装置ＣＰ２は、ＤＤＣ端子をオン、例えば“Ｌ”、にして昇圧回路ＤＤ２を作動状態にするとともに、Ｑ２Ｂ端子を“Ｈ”にして第２のトランジスタＱ１２をオンとしてメインコンデンサＣ２の充電を開始する。レリーズスイッチの第２段目ＲＬ１２がオンとなり、図示していないシャッタアクチュエータへの通電が行われると昇圧回路ＤＤ２の作動が停止して、メインコンデンサＣ２への充電も停止する。
シャッタが開きほぼ開放になると中央処理装置ＣＰ２は第１のトランジスタＱ１１をオン、第２のトランジスタＱ１２をオフとしてメインコンデンサＣ２を電池に直列に接続するとともに、第３および第４のトランジスタＱ１３およびＱ１４と抵抗Ｒ１６とで構成された定電流回路を作動状態にして、照明用発光ダイオードＬＷ２、ＬＲ２、ＬＢ２およびＬＧ２に電流を流して、これら発光ダイオードＬＷ２、ＬＲ２、ＬＢ２およびＬＧ２を発光させる。
【００３２】
発光ダイオードＬＷ２、ＬＲ２、ＬＢ２およびＬＧ２に流す電流値は、抵抗Ｒ１６の値で調整することができる。
発光ダイオードＬＷ２、ＬＲ２、ＬＢ２およびＬＧ２の発光に伴うメインコンデンサＣ２の蓄積電荷の放電により、メインコンデンサＣ２の端子電圧は徐々に低下するが、定電流回路によって発光ダイオードＬＷ２、ＬＲ２、ＬＢ２およびＬＧ２に流れる電流は最大定格近くの電流に維持される。
所定のシャッタ秒時が経過してシャッタアクチュエータの通電がオフとなり、シャッタが閉じ始めた頃、中央処理装置ＣＰ２は、定電流回路を不作動として、発光ダイオードＬＷ２、ＬＲ２、ＬＢ２およびＬＧ２に流す電流を停止させ、発光ダイオードＬＷ２、ＬＲ２、ＬＢ２およびＬＧ２を消灯させる。各発光ダイオードＬＷ２、ＬＲ２、ＬＢ２およびＬＧ２に直列に接続されている抵抗Ｒ１７、Ｒ１８、Ｒ１９およびＲ２０は、各発光ダイオードＬＷ２、ＬＲ２、ＬＢ２およびＬＧ２の順方向電圧の相違を吸収するためのものである。
【００３３】
この第２の実施の形態は、先に述べた第１の実施の形態におけるメインコンデンサに蓄えた電荷の使用効率をさらに上げて、より小型で小容量のコンデンサが使えるようにするものである。
すなわち、発光ダイオードを点灯するためには、最低でも発光ダイオードの順方向電圧以上の電圧が必要である。順方向電圧は、白色、青色および緑色発光ダイオードは共に最大定格電流時に３．５Ｖ程度である。さらに定電流回路が有効に作動するのに必要な電圧が加わるため、発光ダイオードの発光終了後はコンデンサに４Ｖ以上の電圧が残り、この電荷が無駄になってしまう。
この第２の実施の形態においては、この無駄を少なくするため、発光ダイオードの点灯時は充電したコンデンサを電源である電池に直列に接続し、電圧を上げて発光ダイオードに供給するようにした。その結果、発光ダイオード点灯後にコンデンサに残る電圧は前述した４Ｖ以上から、電源電圧（例えば約３Ｖ）を引いた電圧となり、コンデンサに残る電荷は大幅に減少するので、その分コンデンサの容量を小さくすることが可能となり、スペースおよびコストの点で有利である。
【００３４】
なお、図３においては、昇圧回路ＤＤ２の昇圧出力端Ｖｏｕｔに接続されたＡ点と第３のトランジスタＱ１３のコレクタとの間に、白色発光ダイオードＬＷ２、赤色発光ダイオードＬＲ２、青色発光ダイオードＬＢ２および緑色発光ダイオードＬＧ２（それぞれ抵抗Ｒ１７、Ｒ１８、Ｒ１９およびＲ２０が直列に介挿されている）が各１個ずつ接続されるものとして示されているが、実際には、撮影の照明用として全て白色発光ダイオードＬＷ２を用いるならば、赤色発光ダイオードＬＲ２、青色発光ダイオードＬＢ２および緑色発光ダイオードＬＢ２の組み合わせによる三原色発光ダイオードは不要である。逆に三原色の発光ダイオードだけを使用するなら、白色発光ダイオードＬＷ２は不要である。もちろん、図３に示されるように白色発光ダイオードＬＷ２と三原色の発光ダイオードＬＲ２、ＬＢ２およびＬＧ２の組みとを混在させて使用してもかまわない。
また、図３においては、各発光ダイオードＬＷ２、ＬＲ２、ＬＢ２およびＬＧ２が、各１個ずつ設けられているが、各発光ダイオードＬＷ２、ＬＲ２、ＬＢ２およびＬＧ２とも複数個ずつ使用しても良いし、三原色発光ダイオードＬＲ２、ＬＢ２およびＬＧ２の各色毎に発光ダイオード単体の発光量が異なる場合は、各色毎に使用個数を変えて、光量のバランスを整えるようにしても構わない。
【００３５】
また、図４においては、メインコンデンサＣ２の充電開始時期が電源スイッチＰＳＷ２がオンのとき、充電停止がシャッタアクチュエータがオンのときとなっているが、それぞれ、レリーズスイッチの第１段目（ＲＬ１１）がオンとなった時点と、レリーズスイッチの２段目（ＲＬ２）がオンとなった時点としても構わない。
図５は、本発明の第３の実施の形態に係る撮影用照明装置の概略構成を示しており、図６は、そのタイミングチャートを示している。
図５に示す撮影用照明装置も、例えば在来の銀塩カメラに組み込まれているものとする。
図５に示す撮影用照明装置は、図３における昇圧回路ＤＤ２を省略し、代わりにダイオードＳＤを設け、中央処理装置ＣＰ２に若干変更して中央処理装置ＣＰ２′としたものである。
【００３６】
したがって、図５に示す撮影用照明装置は、電池電源ＢＰ２、第１のトランジスタＱ１１、第２のトランジスタＱ１２、第３のトランジスタＱ１３、第４のトランジスタＱ１４、ダイオードＳＤ、メインコンデンサＣ２、電源スイッチＰＳＷ２、中央処理装置ＣＰ２′、第１段レリーズＲＬ１１、第２段レリーズＲＬ１２、白色発光ダイオードＬＷ２、赤色発光ダイオードＬＲ２、青色発光ダイオードＬＢ２、緑色発光ダイオードＬＧ２および抵抗Ｒ１１〜Ｒ２０を具備している。図５において、電池電源ＢＰ２、第１のトランジスタＱ１１、第２のトランジスタＱ１２、第３のトランジスタＱ１３、第４のトランジスタＱ１４、メインコンデンサＣ２、電源スイッチＰＳＷ２、第１段レリーズＲＬ１１、第２段レリーズＲＬ１２、白色発光ダイオードＬＷ２、赤色発光ダイオードＬＲ２、青色発光ダイオードＬＢ２、緑色発光ダイオードＬＧ２および抵抗Ｒ１１〜Ｒ２０は、図３と同様であるので詳細な説明は省略する。
【００３７】
ダイオードＳＤのアノードには、電源スイッチＰＳＷ２を介して、電源電池ＢＰ２のプラス側が接続されている。ダイオードＳＤのカソードには、メインコンデンサＣ２の一端が接続されている。
第１のトランジスタＱ１１のベースは、抵抗Ｒ１２の一端に接続され、該抵抗Ｒ１２の他端は、中央処理装置（ＣＰＵ）ＣＰ２′の端子Ｑ１Ｂに接続されている。第２のトランジスタＱ１２のベースは、抵抗Ｒ１３の一端に接続され、該抵抗Ｒ１３の他端は、中央処理装置ＣＰ２′の端子Ｑ２Ｂに接続されている。第３のトランジスタＱ１３のベースは、抵抗Ｒ１５の一端に接続され、該抵抗Ｒ１５の他端は、メインコンデンサＣ２と第１のトランジスタＱ１１のコレクタ（および第２のトランジスタＱ１２のコレクタ）との接続点に接続されている。
中央処理装置ＣＰ２′は、端子Ｖｄｄ、Ｖｓｓ、Ｑ１Ｂ、Ｑ２Ｂ、ＲＬ１およびＲＬ２を有している。端子Ｖｄｄは、電池電源ＢＰ２のプラス側に接続され、端子Ｖｓｓは、電池電源ＢＰ２のマイナス側に接続されて、電源の供給を受けている。端子Ｑ１Ｂは、抵抗Ｒ１２を介して第１のトランジスタＱ１１のベースに、該第１のトランジスタＱ１１を制御駆動するための制御信号を供給している。端子Ｑ２Ｂは、抵抗Ｒ１３を介して第２のトランジスタＱ１２のベースに、該第２のトランジスタＱ１２を制御駆動するための制御信号を供給している。中央処理装置ＣＰ２′の端子ＲＬ１は、第１段レリーズＲＬ１１を介して電池電源ＢＰ２のマイナス側に接続され、端子ＲＬ２は、第２段レリーズＲＬ１２を介して電池電源ＢＰ２のマイナス側に接続されている。
【００３８】
次に、図６に示すタイミングチャートを参照して、図５に示した撮影用照明装置の動作を説明する。
電源スイッチＰＳＷ２がオンとなると、トランジスタＱ１２がオンとなり、メインコンデンサＣ２は電池電源ＢＰ２からダイオードＳＤを介して充電される。レリーズスイッチの第２段目、すなわち第２段レリーズＲＬ１２がオンとなり、図示しないシャッタアクチュエータへの通電が行われると、トランジスタＱ１２がオフとされ、メインコンデンサＣ２の充電が停止されるとともに、シャッタが開き始める。
シャッタが開きほぼ開放になると中央処理装置ＣＰ２′は、トランジスタＱ１１をオンとして、メインコンデンサＣ２を電池電源ＢＰ２に直列に接続する。トランジスタＱ１１がオンとなると、トランジスタＱ１３、Ｑ１４および抵抗Ｒ１６で構成された定電流回路が作動状態になり、照明用発光ダイオードＬＷ２、ＬＲ２、ＬＢ２およびＬＧ２に電流を流し、発光ダイオードＬＷ２、ＬＲ２、ＬＢ２およびＬＧ２を発光させる。
【００３９】
メインコンデンサＣ２の電圧は徐々に低下するが、定電流回路によって発光ダイオードＬＷ２、ＬＲ２、ＬＢ２およびＬＧ２に流れる電流は最大定格近くの電流に保たれる。所定のシャッタ秒時が経過してシャッタアクチュエータの通電がオフとなり、シャッタが閉じ始めた頃、中央処理装置ＣＰ２′は、トランジスタＱ１１をオフにする。そうすると、定電流回路も不作動となり、発光ダイオードＬＷ２、ＬＲ２、ＬＢ２およびＬＧ２に流す電流が停止され、発光ダイオードＬＷ２、ＬＲ２、ＬＢ２およびＬＧ２が消灯される。
この第３の実施の形態では、上述した第２の実施の形態における昇圧回路ＤＤ２を省略し、メインコンデンサＣ２の充電を電源電池ＢＰ２から直接行うことにより、スペースおよびコストを共に削減することができる。電池電源の電圧が約３Ｖであれば、この電圧でコンデンサを充電し、充電したコンデンサを電池に直列に接続することで６Ｖの電圧を得ることができる。このような電源により、照明用発光ダイオードＬＷ２、ＬＲ２、ＬＢ２およびＬＧ２を発光させることで、回路の大幅な簡素化を実現することができ、部品コストおよびスペースが共に削減される。
【００４０】
なお、図５においても、図３と同様、照明用ＬＥＤとして白色、青色、緑色および赤色の発光ダイオードが各１個づつ記載されているが、実際には、複数個の発光ダイオードが直列あるいは並列に接続されていても構わないし、白色発光ダイオードだけが接続されていてもよく、または赤色、青色および緑色の三原色の発光ダイオードだけが接続されていてもよい。
また、図６においては、メインコンデンサＣ２の充電開始時期が電源スイッチＰＳＷ２がオン、その停止がシャッタアクチュエータがオンの時となっているが、それぞれ第１段レリーズＲＬ１１がオンとなった時点、または第２段レリーズＲＬ１２がオンとなった時点でもよい。
図７は、本発明の第４の実施の形態に係る撮影用照明装置の概略構成を示している。図７に示す撮影用照明装置は、図３に示す撮影用照明装置の構成から、白色発光ダイオードを省き、赤色、青色および緑色発光ダイオードにそれぞれ個別に定電流回路を設けたものである。
【００４１】
図７に示す撮影用照明装置は、電池電源ＢＰ３、第１のトランジスタＱ２１、第２のトランジスタＱ２２、第３のトランジスタＱ２３、第４のトランジスタＱ２４、第５のトランジスタＱ２５、第６のトランジスタＱ２６、第７のトランジスタＱ２７、第８のトランジスタＱ２８、昇圧回路ＤＤ３、メインコンデンサＣ３、電源スイッチＰＳＷ３、中央処理装置ＣＰ３、第１段レリーズＲＬ２１、第２段レリーズＲＬ２２、赤色発光ダイオードＬＲ３、青色発光ダイオードＬＢ３、緑色発光ダイオードＬＧ３および抵抗Ｒ２１〜Ｒ３０を具備している。
電池電源ＢＰ３は、直流電源であり、電池を用いて公称３Ｖの電源電圧を得るように構成している。昇圧回路ＤＤ３は、例えばＤＣ−ＤＣコンバータとして構成されている。昇圧回路ＤＤ３の電源入力端Ｖｉｎには、電源スイッチＰＳＷ３を介して、電源電池ＢＰ３のプラス側が接続されている。昇圧回路ＤＤ３の制御端ＣＥは、中央処理装置ＣＰ３の制御出力ポートＤＤＣに接続されている。該昇圧回路ＤＤ３は、制御端ＣＥに接続されている中央処理装置ＣＰ３の制御出力ポートＤＤＣからの制御信号に応答し、該制御信号がオンとなると昇圧動作を行い、昇圧出力端Ｖｏｕｔから昇圧された電圧を出力する。
【００４２】
中央処理装置ＣＰ３の制御出力ポートＤＤＣからの制御信号がオフとなると、該昇圧回路ＤＤ３は、動作を停止して、昇圧出力端Ｖｏｕｔの出力を停止する。昇圧回路ＤＤ３の昇圧出力端Ｖｏｕｔには、メインコンデンサＣ３の一端が接続されている。
メインコンデンサＣ３の他端は第１のトランジスタＱ２１のコレクタに接続されると同時に、第２のトランジスタＱ２２のコレクタにも接続されている。第１のトランジスタＱ２１は、この場合ｐｎｐトランジスタである。第１のトランジスタＱ２１は、ベースを制御端子とし、エミッタ−コレクタ間を被制御路としている。第２のトランジスタＱ２２は、この場合ｎｐｎトランジスタである。第２のトランジスタＱ２２は、ベースを制御端子とし、コレクタ−エミッタ間を被制御路としている。これらトランジスタＱ２１の被制御路であるエミッタ−コレクタ間と、トランジスタＱ２２の被制御路であるコレクタ−エミッタ間とを互いに直列接続として、電池電源ＢＰ３のプラス側に接続された電源スイッチＰＳＷ３と電池電源ＢＰ３のマイナス側との間に接続している。すなわち、メインコンデンサＣ３の前記他端は、第１のトランジスタＱ２１がオンである場合には、電源スイッチＰＳＷ３を介して電源ＢＰ３のプラス側に、また、第２のトランジスタＱ２２がオンである場合は電池電源ＢＰ３のマイナス側、つまりグラウンド電位（ＧＮＤ）に接続されるようになっている。
【００４３】
また、メインコンデンサＣ３の前記一端、すなわち図示Ａ点には、写真撮影等の照明用として赤色発光ダイオードＬＲ３、青色発光ダイオードＬＢ３および緑色発光ダイオードＬＧ３の三原色の発光ダイオードの各アノードがそれぞれ接続されている。
赤色発光ダイオードＬＲ３のカソードは、第３のトランジスタＱ２３のコレクタに接続されている。第３のトランジスタＱ２３は、この場合ｎｐｎトランジスタである。第３のトランジスタＱ２３は、ベースを制御端子とし、コレクタ−エミッタを被制御路としている。第３のトランジスタＱ２３のエミッタには第４のトランジスタＱ２４のベースが接続されている。第４のトランジスタＱ２４も、この場合ｎｐｎトランジスタである。第４のトランジスタＱ２４のコレクタは、第３のトランジスタＱ２３のベースに接続されており、第４のトランジスタＱ２４のエミッタは電池電源のマイナス側に接続されている。第３のトランジスタＱ２３と第４のトランジスタＱ２４は、第３のトランジスタＱ２３のベースに与えられる制御信号に応答して、第３のトランジスタＱ２３のコレクタ−エミッタ間を流れる電流を定電流制御する。
【００４４】
なお、第３のトランジスタＱ２３と第４のトランジスタＱ２４は、第３のトランジスタＱ２３のベースに与えられる制御信号によって、第３のトランジスタＱ２３をオフとし、コレクタ−エミッタ間を遮断することもできる。これら第３のトランジスタＱ２３と第４のトランジスタＱ２４は、シャッタが開いている間だけオンとなり、赤色発光ダイオードＬＲ３にシャッタが開いている間だけ定電流で通電するようにしている。
青色発光ダイオードＬＢ３のカソードは、第５のトランジスタＱ２５のコレクタに接続されている。第５のトランジスタＱ２５は、この場合ｎｐｎトランジスタである。第５のトランジスタＱ２５は、ベースを制御端子とし、コレクタ−エミッタを被制御路としている。第５のトランジスタＱ２５のエミッタには第６のトランジスタＱ２６のベースが接続されている。第６のトランジスタＱ２６も、この場合ｎｐｎトランジスタである。第６のトランジスタＱ２６のコレクタは、第５のトランジスタＱ２５のベースに接続されており、第６のトランジスタＱ２６のエミッタは電池電源のマイナス側に接続されている。第５のトランジスタＱ２５と第６のトランジスタＱ２６は、第５のトランジスタＱ２５のベースに与えられる制御信号に応答して、第５のトランジスタＱ２５のコレクタ−エミッタ間を流れる電流を定電流制御する。
【００４５】
なお、第５のトランジスタＱ２５と第６のトランジスタＱ２６は、第５のトランジスタＱ２５のベースに与えられる制御信号によって、第５のトランジスタＱ２５をオフとし、コレクタ−エミッタ間を遮断することもできる。これら第５のトランジスタＱ２５と第６のトランジスタＱ２６は、シャッタが開いている間だけオンとなり、青色発光ダイオードＬＢ３にシャッタが開いている間だけ定電流で通電するようにしている。
緑色発光ダイオードＬＧ３のカソードは、第７のトランジスタＱ２７のコレクタに接続されている。第７のトランジスタＱ２７は、この場合ｎｐｎトランジスタである。第７のトランジスタＱ２７は、ベースを制御端子とし、コレクタ−エミッタを被制御路としている。第７のトランジスタＱ２７のエミッタには第８のトランジスタＱ２８のベースが接続されている。第８のトランジスタＱ２８も、この場合ｎｐｎトランジスタである。第８のトランジスタＱ２８のコレクタは、第７のトランジスタＱ２７のベースに接続されており、第８のトランジスタＱ２８のエミッタは電池電源のマイナス側に接続されている。第７のトランジスタＱ２７と第８のトランジスタＱ２８は、第７のトランジスタＱ２７のベースに与えられる制御信号に応答して、第７のトランジスタＱ２７のコレクタ−エミッタ間を流れる電流を定電流制御する。
【００４６】
なお、第７のトランジスタＱ２７と第８のトランジスタＱ２８は、第７のトランジスタＱ２７のベースに与えられる制御信号によって、第７のトランジスタＱ２７をオフとし、コレクタ−エミッタ間を遮断することもできる。これら第７のトランジスタＱ２７と第８のトランジスタＱ２８は、シャッタが開いている間だけオンとなり、緑色発光ダイオードＬＧ３にシャッタが開いている間だけ定電流で通電するようにしている。
第１のトランジスタＱ２１のベースは、抵抗Ｒ２１の一端に接続され、抵抗Ｒ２１の他端は、該第１のトランジスタＱ２１のエミッタに接続されている。また、前記抵抗Ｒ２１の他端は、電源スイッチＰＳＷ３を介して電池電源ＢＰ３のプラス側に接続されている。さらに、第１のトランジスタＱ２１のベースは、抵抗Ｒ２２の一端に接続され、該抵抗Ｒ２２の他端は、中央処理装置（ＣＰＵ）ＣＰ３の端子Ｑ１Ｂに接続されている。第２のトランジスタＱ２２のベースは、抵抗Ｒ２３の一端に接続され、該抵抗Ｒ２３の他端は、中央処理装置ＣＰ３の端子Ｑ２Ｂに接続されている。また、第２のトランジスタＱ２２のベースは、抵抗Ｒ２４の一端に接続され、該抵抗Ｒ２４の他端は、第２のトランジスタＱ２２のエミッタ、すなわち電池電源ＢＰ３のマイナス側、に接続されている。
【００４７】
第３のトランジスタＱ２３のベースは、抵抗Ｒ２５の一端に接続され、該抵抗Ｒ２５の他端は、中央処理装置ＣＰ３の端子ＬＤＣに接続されている。また、第３のトランジスタＱ２３のエミッタ、すなわち第４のトランジスタＱ２４のベースは、抵抗Ｒ２６の一端に接続され、該抵抗Ｒ２６の他端は、第４のトランジスタＱ２４のエミッタ、すなわち電池電源ＢＰ３のマイナス側、に接続されている。第５のトランジスタＱ２５のベースは、抵抗Ｒ２７の一端に接続され、該抵抗Ｒ２７の他端は、中央処理装置ＣＰ３の端子ＬＤＣに接続されている。また、第５のトランジスタＱ２５のエミッタ、すなわち第６のトランジスタＱ２６のベースは、抵抗Ｒ２８の一端に接続され、該抵抗Ｒ２８の他端は、第６のトランジスタＱ２６のエミッタ、すなわち電池電源ＢＰ３のマイナス側、に接続されている。第７のトランジスタＱ２７のベースは、抵抗Ｒ２９の一端に接続され、該抵抗Ｒ２９の他端は、中央処理装置ＣＰ３の端子ＬＤＣに接続されている。また、第７のトランジスタＱ２７のエミッタ、すなわち第８のトランジスタＱ２８のベースは、抵抗Ｒ３０の一端に接続され、該抵抗Ｒ３０の他端は、第８トランジスタＱ２８のエミッタ、すなわち電池電源ＢＰ３のマイナス側、に接続されている。
【００４８】
中央処理装置ＣＰ３は、端子Ｖｄｄ、Ｖｓｓ、ＤＤＣ、Ｑ１Ｂ、Ｑ２Ｂ、ＬＤＣ、ＲＬ１およびＲＬ２を有している。端子Ｖｄｄは、電池電源ＢＰ３のプラス側に接続され、端子Ｖｓｓは、電池電源ＢＰ２のマイナス側に接続されて、電源の供給を受けている。端子ＤＤＣは、既に述べたように昇圧回路ＤＤ３の制御端ＣＥに昇圧回路ＤＤ３の動作を制御する制御信号を供給している。端子Ｑ１Ｂは、第１のトランジスタＱ２１のベースに、該第１のトランジスタＱ２１を制御駆動するための制御信号を供給している。端子Ｑ２Ｂは、第２のトランジスタＱ２２のベースに、該第２のトランジスタＱ２２を制御駆動するための制御信号を供給している。端子ＬＤＣは、抵抗Ｒ２５、Ｒ２７およびＲ２９を介して第３、第５および第７のトランジスタＱ２３、Ｑ２５およびＱ２７のベースに、該第３、第５および第７のトランジスタＱ２３、Ｑ２５およびＱ２７と、それぞれ第４、第６および第８のトランジスタＱ２４、Ｑ２６およびＱ２８とからなる定電流回路を制御駆動するための制御信号を供給している。中央処理装置ＣＰ３の端子ＲＬ１は、第１段レリーズＲＬ２１を介して電池電源ＢＰ３のマイナス側に接続され、端子ＲＬ２は、第２段レリーズＲＬ２２を介して電池電源ＢＰ３のマイナス側に接続されている。第１段レリーズＲＬ２１および第２段レリーズＲＬ２２は、２段動作式のレリーズスイッチの各段のスイッチである。
【００４９】
図７に示す構成は、図３に示した回路における各色毎の発光ダイオードＬＲ３、ＬＢ３およびＬＧ３にそれぞれ定電流回路を設けたものである。発光ダイオードＬＲ３、ＬＢ３およびＬＧ３の発光時には、中央処理装置ＣＰ３は、端子ＬＤＣを、例えば“Ｈ”として、各発光ダイオードＬＲ３、ＬＢ３およびＬＧ３に個々に設けられている定電流回路を作動させる。このようにすることにより、各色の発光ダイオードＬＲ３、ＬＢ３およびＬＧ３のそれぞれに流す電流を個別に精度よく設定することができ、さらに図３で設けていた順方向電圧補正用の抵抗（Ｒ１７〜Ｒ２０）が不要となり、その分だけメインコンデンサＣ３の電圧をより低い電圧まで利用することができ、コンデンサの利用効率が向上する。
すなわち、照明用発光ダイオードの順方向電圧は発光色により、少しずつ異なっており、一つの定電流回路で駆動すると、発光色毎に電流調整用の抵抗を設ける必要がある。また、定電流回路自体も制御すべき電流値が大きくなるほど作動に必要な電圧が高くなり、コンデンサに無駄な電荷が多く残ることになる。そのため、発光ダイオードＬＲ３、ＬＢ３およびＬＧ３の各色毎に個別の定電流回路を設けることによって、コンデンサの利用効率を向上させることができる。
【００５０】
図８は、本発明の第５の実施の形態に係る撮影用照明装置の概略構成を示している。
図８に示す撮影用照明装置は、電池電源ＢＰ４、第１のトランジスタＱ３１、第２のトランジスタＱ３２、第３のトランジスタＱ３３、第４のトランジスタＱ３４、第５のトランジスタＱ３５、昇圧回路ＤＤ４、メインコンデンサＣ４、中央処理装置ＣＰ４、赤色発光ダイオードＬＲ４、青色発光ダイオードＬＢ４、緑色発光ダイオードＬＧ４、演算増幅器Ａ３１〜Ａ３３および抵抗Ｒ３１〜Ｒ３７を具備している。
図８における電池電源ＢＰ４、第１のトランジスタＱ３１、第２のトランジスタＱ３２、昇圧回路ＤＤ４、メインコンデンサＣ４、赤色発光ダイオードＬＲ４、青色発光ダイオードＬＢ４、緑色発光ダイオードＬＧ４、および抵抗Ｒ３１〜Ｒ３４は、図７における電池電源ＢＰ３、第１のトランジスタＱ２１、第２のトランジスタＱ２２、昇圧回路ＤＤ３、メインコンデンサＣ３、赤色発光ダイオードＬＲ３、青色発光ダイオードＬＢ３、緑色発光ダイオードＬＧ３、および抵抗Ｒ２１〜Ｒ２４とほぼ同様である。
【００５１】
第３のトランジスタＱ３３、第４のトランジスタＱ３４、第５のトランジスタＱ３５、演算増幅器Ａ３１〜Ａ３３および抵抗Ｒ３５〜Ｒ３７は、赤色発光ダイオードＬＲ４、青色発光ダイオードＬＢ４および緑色発光ダイオードＬＧ４に対する定電流回路を構成している。また、中央処理装置ＣＰ４は、図７の中央処理装置ＣＰ３とほぼ同様であるが、第３のトランジスタＱ３３、第４のトランジスタＱ３４、第５のトランジスタＱ３５、演算増幅器Ａ３１〜Ａ３３および抵抗Ｒ３５〜Ｒ３７からなる定電流回路による赤色発光ダイオードＬＲ４、青色発光ダイオードＬＢ４および緑色発光ダイオードＬＧ４への供給電流を制御する機能を有している。
【００５２】
第３のトランジスタＱ３３は、この場合ｐｎｐトランジスタであり、エミッタが昇圧回路ＤＤ４の出力端Ｖｏｕｔに接続され、コレクタが赤色発光ダイオードＬＲ４のアノードに接続され、そしてベースには、演算増幅器Ａ３１の出力が接続されている。赤色発光ダイオードＬＲ４のカソードは、抵抗Ｒ３５を介して電池電源ＢＰ４のマイナス側に接続されている。演算増幅器Ａ３１の非反転入力は、赤色発光ダイオードＬＲ４のカソードと抵抗Ｒ３５の接続点に接続され、演算増幅器Ａ３１の反転入力は、中央処理装置ＣＰ４のディジタル−アナログコンバータ出力ポートＤＡＣ１に接続されている。
第４のトランジスタＱ３４は、この場合ｐｎｐトランジスタであり、エミッタが昇圧回路ＤＤ４の出力端Ｖｏｕｔに接続され、コレクタが青色発光ダイオードＬＢ４のアノードに接続され、そしてベースには、演算増幅器Ａ３２の出力が接続されている。青色発光ダイオードＬＢ４のカソードは、抵抗Ｒ３６を介して電池電源ＢＰ４のマイナス側に接続されている。演算増幅器Ａ３２の非反転入力は、青色発光ダイオードＬＢ４のカソードと抵抗Ｒ３６の接続点に接続され、演算増幅器Ａ３２の反転入力は、中央処理装置ＣＰ４のディジタル−アナログコンバータ出力ポートＤＡＣ２に接続されている。
【００５３】
第５のトランジスタＱ３５は、この場合ｐｎｐトランジスタであり、エミッタが昇圧回路ＤＤ４の出力端Ｖｏｕｔに接続され、コレクタが緑色発光ダイオードＬＧ４のアノードに接続され、そしてベースには、演算増幅器Ａ３３の出力が接続されている。緑色発光ダイオードＬＢ４のカソードは、抵抗Ｒ３７を介して電池電源ＢＰ４のマイナス側に接続されている。演算増幅器Ａ３３の非反転入力は、緑色発光ダイオードＬＧ４のカソードと抵抗Ｒ３７の接続点に接続され、演算増幅器Ａ３３の反転入力は、中央処理装置ＣＰ４のディジタル−アナログコンバータ出力ポートＤＡＣ３に接続されている。
図８の撮影用照明装置においては、赤色発光ダイオードＬＲ４、青色発光ダイオードＬＢ４および緑色発光ダイオードＬＧ４のそれぞれに流す電流値を、中央処理装置ＤＤ４のディジタル−アナログコンバータ出力ポートＤＡＣ１〜ＤＡＣ３から出力する電圧によって設定することができるようにしている。
【００５４】
また、赤色発光ダイオードＬＲ４、青色発光ダイオードＬＢ４および緑色発光ダイオードＬＧ４に流れる電流値は、それぞれ中央処理装置ＣＰ４のディジタル−アナログコンバータ出力ポートＤＡＣ１〜ＤＡＣ３の出力電圧と抵抗Ｒ３５〜Ｒ３７で決定されるため、これら抵抗Ｒ３５〜Ｒ３７の抵抗値を低くすることによって、定電流を設定するための電圧を低くすることができ、そのため、メインコンデンサＣ１の利用効率を一層向上させることができる。
図９は、本発明の第６の実施の形態に係る撮影用照明装置の概略構成を示している。
図９に示す撮影用照明装置は、電池電源ＢＰ４、第１のトランジスタＱ３１、第２のトランジスタＱ３２、第３のトランジスタＱ３３′、第４のトランジスタＱ３４′、第５のトランジスタＱ３５′、昇圧回路ＤＤ４、メインコンデンサＣ４、中央処理装置ＣＰ４′、赤色発光ダイオードＬＲ４′、青色発光ダイオードＬＢ４′、緑色発光ダイオードＬＧ４′、抵抗Ｒ３１〜Ｒ３４、および抵抗Ｒ３５′〜Ｒ３７′を具備している。
【００５５】
図９における電池電源ＢＰ４、第１のトランジスタＱ３１、第２のトランジスタＱ３２、昇圧回路ＤＤ４、メインコンデンサＣ４、および抵抗Ｒ３１〜Ｒ３４は、図８における電池電源ＢＰ４、第１のトランジスタＱ３１、第２のトランジスタＱ３２、昇圧回路ＤＤ４、メインコンデンサＣ４、および抵抗Ｒ３１〜Ｒ３４と同様である。
図９において、第３のトランジスタＱ３３′、第４のトランジスタＱ３４′および第５のトランジスタＱ３５′は、いずれもｎｐｎトランジスタであり、それぞれ定電流回路を構成する。第３のトランジスタＱ３３′のコレクタは、赤色発光ダイオードＬＲ４′のカソードに接続され、赤色発光ダイオードＬＲ４′のアノードは昇圧回路ＤＤ４の昇圧出力端Ｖｏｕｔに接続されている。第３のトランジスタＱ３３′のエミッタは抵抗Ｒ３５′を介して電池電源ＢＰ４のマイナス側に接続されている。第３のトランジスタＱ３３のベースは、中央処理装置ＣＰ４′のディジタル−アナログコンバータ出力ポートＤＡＣ１に接続されている。第４のトランジスタＱ３４′のコレクタは、青色発光ダイオードＬＢ４′のカソードに接続され、青色発光ダイオードＬＢ４′のアノードは昇圧回路ＤＤ４の昇圧出力端Ｖｏｕｔに接続されている。
【００５６】
第４のトランジスタＱ３４′のエミッタは抵抗Ｒ３６′を介して電池電源ＢＰ４のマイナス側に接続されている。第４のトランジスタＱ３４のベースは、中央処理装置ＣＰ４′のディジタル−アナログコンバータ出力ポートＤＡＣ２に接続されている。第５のトランジスタＱ３５′のコレクタは、緑色発光ダイオードＬＧ４′のカソードに接続され、緑色発光ダイオードＬＧ４′のアノードは昇圧回路ＤＤ４の昇圧出力端に接続されている。第５のトランジスタＱ３５′のエミッタは抵抗Ｒ３７′を介して電池電源ＢＰ４のマイナス側に接続されている。第５のトランジスタＱ３５のベースは、中央処理装置ＣＰ４′のディジタル−アナログコンバータ出力ポートＤＡＣ３に接続されている。中央処理装置ＣＰ４′には、図８の中央処理装置ＣＰ４にさらにアナログ−ディジタルコンバータ入力ポートＡＤＣを設けている。
図９に示す撮影用照明装置は、図８の回路をさらに簡単にしたもので、定電流回路を、第３のトランジスタＱ３３′と抵抗Ｒ３５′、第４のトランジスタＱ３４′と抵抗Ｒ３６′、および第５のトランジスタＱ３５′と抵抗Ｒ３７′で構成し、中央処理装置ＣＰ４′のディジタル−アナログコンバータ出力ポートＤＡＣ１、ＤＡＣ２およびＤＡＣ３から出力される電圧でそれぞれ電流が決定される。
【００５７】
しかしながら、トランジスタのベース・エミッタ間の電圧は、温度で大きく変化するため、周囲温度によって定電流回路の電流が大きく変化してしまう。そのため、中央処理装置ＣＰ４′のディジタル−アナログコンバータ出力ポートＤＡＣ１、ＤＡＣ２およびＤＡＣ３から電圧を出力する前に、中央処理装置ＣＰ４′は、第２のトランジスタＱ３２のベース−エミッタ間の電圧を、アナログ−ディジタルコンバータ入力ポートＡＤＣを介して測定し、この測定値から周囲温度を換算し、その結果に基づいてディジタル−アナログコンバータ出力ポートＤＡＣ１、ＤＡＣ２およびＤＡＣ３から出力させる電圧を調整する。
すなわち、中央処理装置のディジタル−アナログコンバータ出力ポートから直接トランジスタのベース電圧を供給するとともに、周囲温度によってトランジスタのベース電圧を変化させて、発光ダイオードの最大定格電流に近い電流値に制御するようにしている。
【００５８】
上述したように、従来は、コンデンサに充電した電荷で、撮影照明用の発光ダイオードを発光させると、発光後時間経過と共にコンデンサの電圧が低下し、それに伴い発光ダイオードに流れる電流も減少して、充分な発光量が得られなくなる。また、コンデンサには、発光終了後に発光ダイオードの順方向電圧である３．５Ｖほどの電圧が残ってしまい、この電荷が無駄となって、電源の利用効率を落としていた。そこで、本発明では、作動電圧の低い定電流回路を用いて、発光ダイオードを発光させることによって、発光期間中は最大定格に近い電流を流し続けられるようにし、さらに、コンデンサを電源の電池に直列に接続することで、発光ダイオードの発光終了後に残るコンデンサの電荷を大幅に少なくすることができ、電源の使用効率を向上させることができる。
【００５９】
【発明の効果】
以上述べたように、本発明によれば、発光ダイオードによる発光をカメラによる撮影の照明に使用するにあたり、電源を昇圧してコンデンサに蓄える電荷の使用効率を向上させるため、コンデンサの充電電荷による発光ダイオードの駆動電流を定電流制御して、コンデンサの電圧が低下しても、発光ダイオードの最大定格一杯の電流を点灯期間中流しつづけることを可能とし、且つアクチュエータに通電してシャッタが開いている間は、昇圧回路の作動を停止するようにして、シャッタ作動中は電源から直接照明用発光ダイオードに流す電流はできるだけ少なくして、電源の負荷を分散することを可能とする撮影用照明装置を提供することができる。
【００６０】
すなわち、本発明の請求項１の撮影用照明装置によれば、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
直流電源と、
前記直流電源の電源電圧を昇圧する昇圧回路と、
前記昇圧回路の昇圧された出力によって充電され、充電電荷を前記各発光ダイオードに給電するためのコンデンサと、
前記発光ダイオードに直列に介挿され、前記発光ダイオードに供給される電流を定電流制御するとともに、制御入力に応動して該定電流動作の作動／不作動が制御される定電流回路と、
前記直流電源のプラス側と前記コンデンサの充電端子ではない側の端子との間をオン／オフする第１のトランジスタと、前記直流電源のマイナス側と前記コンデンサの充電端子ではない側の端子との間をオン／オフする第２のトランジスタとからなる直列接続手段と、
シャッタの開動作以前に、前記第１のトランジスタをオフ、前記第２のトランジスタをオンとして前記昇圧回路により前記コンデンサを充電させ、且つシャッタの開動作時には、前記コンデンサへの充電を停止させるとともに、前記第１のトランジスタをオン、前記第２のトランジスタをオフとして前記直流電源の電圧に前記コンデンサの蓄積電圧を加算した電圧を発生させ、前記定電流回路によりこの加算した電圧で各発光ダイオードを発光させる制御手段とを具備することにより、特に、作動電圧が低い定電流回路を用いて発光ダイオードを駆動するようにして、コンデンサの電圧が低下しても、発光ダイオードが点灯している間は常に最大定格電流で発光させ、コンデンサに蓄えた電荷の使用効率を向上させることを可能とし、且つシャッタ作動中は昇圧回路の動作を停止してコンデンサだけから照明用発光ダイオードに電流を供給するようにして、電源の負荷を分散し、直流電源の電圧変動を少なくすることが可能となると共に、コンデンサに残る電荷を減少させ、コンデンサに蓄えられる電荷の使用効率をさらに向上して、より小型で小容量のコンデンサを使用可能とする。
【００６１】
また、本発明の請求項２の撮影用照明装置によれば、前記第１のトランジスタはｐｎｐトランジスタであり、前記第２のトランジスタはｎｐｎトランジスタであることにより、簡素な構成であり乍ら、請求項１に係る発明の効果を奏することができる。
【００６２】
本発明の請求項３の撮影用照明装置によれば、前記定電流回路は、電流を定電流制御するとともに、制御入力に応動して定電流動作の作動／不作動が制御される定電流制御部を備え、
前記各発光ダイオードにそれぞれ抵抗が直列に挿入されるとともに、前記抵抗は各発光ダイオードの順方向電圧の相違を吸収するように各々設定されて、前記各発光ダイオードと前記各抵抗からなる回路の一端が前記定電流回路に接続されて、前記定電流制御部より前記各発光ダイオードをまとめて駆動することにより、
各発光ダイオードを流れる電流値を、それぞれの抵抗の値で調整が可能となり、照明用発光ダイオードの順方向電圧が異なっていても、発光ダイオードの各発光色毎に、対応させることができ、
また、発光ダイオードの放電によりメインコンデンサの蓄積電荷の放電により、メインコンデンサの端子電圧は徐々に低下するが、定電流回路によって、各発光ダイオードに流れる電流は、最大定格近くの電流に維持される効果がある。
【００６３】
本発明の請求項４の撮影用照明装置によれば、前記定電流回路が、前記各色の発光ダイオードにそれぞれ直列に介挿され、前記各発光ダイオードに供給される電流を定電流制御するとともに、制御入力に応動して該定電流動作の作動／不作動が制御される複数の定電流制御部を備え、前記各発光ダイオードを各色毎に前記各定電流制御部により個別に定電流駆動することにより、特に、照明用発光ダイオードの順方向電圧が発光色により異なるので、発光ダイオードの各発光色毎に個別の定電流回路を設けて、コンデンサの利用効率を向上させることができる。
本発明の請求項５の撮影用照明装置によれば、出力信号をディジタル−アナログ変換して出力するディジタル−アナログコンバータ出力ポートを備えた中央処理装置を具備し、且つ前記定電流回路の各定電流制御部を介して、前記各定電流制御部の電流値を前記中央処理部のディジタル−アナログコンバータ出力ポートの出力電圧によって設定することにより、特に、低電圧で作動する定電流回路を提供し、且つ中央処理装置のディジタル−アナログ（Ｄ／Ａ）コンバータ出力ポートを利用して定電流回路を簡素化することが可能となる。
本発明の請求項６の撮影用照明装置によれば、周囲温度を検出する温度検出手段をさらに具備し、前記中央処理装置が、前記温度検出手段の検出結果に応じて前記ディジタル−アナログコンバータ出力ポートの出力電圧を制御することにより、特に、定電流回路を更に簡略化することができる。
【図面の簡単な説明】
【図１】本発明の第１の実施の形態に係る撮影用照明装置の要部の構成を示す回路構成図である。
【図２】図１の撮影用照明装置の動作を説明するためのタイミングチャートである。
【図３】本発明の第２の実施の形態に係る撮影用照明装置の要部の構成を示す回路構成図である。
【図４】図３の撮影用照明装置の動作を説明するためのタイミングチャートである。
【図５】本発明の第３の実施の形態に係る撮影用照明装置の要部の構成を示す回路構成図である。
【図６】図５の撮影用照明装置の動作を説明するためのタイミングチャートである。
【図７】本発明の第４の実施の形態に係る撮影用照明装置の要部の構成を示す回路構成図である。
【図８】本発明の第５の実施の形態に係る撮影用照明装置の要部の構成を示す回路構成図である。
【図９】本発明の第６の実施の形態に係る撮影用照明装置の要部の構成を示す回路構成図である。
【符号の説明】
ＢＰ１，ＢＰ２，ＢＰ３，ＢＰ４  電池電源
ＤＤ１，ＤＤ２，ＤＤ３，ＤＤ４  昇圧回路
ＰＳＷ２，ＰＳＷ３  電源スイッチ
ＲＬ１，ＲＬ１１，ＲＬ２１  第１段レリーズ
ＲＬ２，ＲＬ１２，ＲＬ２２  第２段レリーズ
ＣＰ１，ＣＰ２，ＣＰ２′，ＣＰ３，ＣＰ３′，ＣＰ４，ＣＰ４′  中央処理装置（ＣＰＵ）
ＬＤ１  発光ダイオード
ＬＷ２  白色発光ダイオード（ＬＥＤ）
ＬＲ２，ＬＲ３，ＬＲ４，ＬＲ４′  赤色発光ダイオード（ＬＥＤ）
ＬＢ２，ＬＢ３，ＬＢ４，ＬＢ４′  青色発光ダイオード（ＬＥＤ）
ＬＧ２，ＬＧ３，ＬＧ４，ＬＧ４′  緑色発光ダイオード（ＬＥＤ）
Ｑ１１，Ｑ１２，Ｑ１３，Ｑ１４，Ｑ２１，Ｑ２２，Ｑ２３，Ｑ２４，Ｑ２５，Ｑ２６，Ｑ２７，Ｑ２８，Ｑ３１，Ｑ３２，Ｑ３３，Ｑ３３′，Ｑ３４，Ｑ３４′，Ｑ３５，Ｑ３５′  トランジスタ
ＳＤ  ダイオード
Ｃ１，Ｃ２，Ｃ３，Ｃ４  メインコンデンサ
Ｒ１１〜Ｒ３７，Ｒ３５′〜Ｒ３７′  抵抗
【図１】
0004437874.tif 000002
【図２】
0004437874.tif 000003
【図３】
0004437874.tif 000004
【図４】
0004437874.tif 000005
【図５】
0004437874.tif 000006
【図６】
0004437874.tif 000007
【図７】
0004437874.tif 000008
【図８】
0004437874.tif 000009
【図９】
0004437874.tif 000010